(57)【要約】【課題】ネットワークを介して商品を注文した客の店舗への誘導を可能にすると共に、客が代金支払機において商品の支払処理を終えてから商品を受け取るまでの利便性を向上させることができる、ＰＯＳシステム及び代金支払機を提供する。【解決手段】ＰＯＳシステム１は、ネットワークＮを介して商品の注文受付処理を実行する注文受付サーバ５０と、商品の登録処理を実行する商品登録機２０と、注文受付処理及び登録処理の実行によって生成された代金データに基づいて代金の支払処理を実行する代金支払機３０と、注文受付サーバにおいて注文を受け付けた商品の代金支払処理が代金支払機３０において実行されると、商品の受け渡し可能になるまでの時間を出力する時間出力部と、を備える。【選択図】図８
2019133439.tif 000002
【特許請求の範囲】
【請求項１】
ネットワークを介して商品の注文受付処理を実行する注文受付装置と、
商品の登録処理を実行する商品登録機と、
前記注文受付処理及び前記登録処理の実行によって生成された代金データに基づいて代金の支払処理を実行する代金支払機と、
前記注文受付装置において注文を受け付けた商品の前記支払処理が前記代金支払機において実行されると、前記商品の受け渡しが可能になるまでの時間を出力する時間出力部と、を備える、ＰＯＳシステム。
【請求項２】
前記商品登録機が配備された店舗に勤務する従業員の勤務情報及び前記注文受付装置において注文を受け付けた商品の在庫情報の少なくとも一方を記憶する記憶部を更に備え、
前記時間出力部は、前記勤務情報及び前記在庫情報の少なくとも一方に基づいて、前記注文受付装置において注文を受け付けた前記商品の準備にかかる時間を出力する、請求項１記載のＰＯＳシステム。
【請求項３】
前記時間出力部は、前記商品の代金が支払われた旨と、前記商品の準備にかかる時間とが印字された引換券を出力する、請求項１又は２記載のＰＯＳシステム。
【請求項４】
前記代金支払機は、前記商品の注文を受け付ける受付部を有しており、
前記代金支払機は、前記受付部において受け付けた商品の支払処理を実行する、請求項１〜３の何れか一項記載のＰＯＳシステム。
【請求項５】
前記代金支払機は、前記支払処理の操作をする操作部を表示する表示部を有しており、
前記表示部には、前記操作部の周囲に、商品の販促情報が表示される、請求項４記載のＰＯＳシステム。
【請求項６】
前記商品登録機は、店員によって操作される装置として構成され、前記代金支払機は、客によって操作される装置として構成されている、請求項１〜５の何れか一項記載のＰＯＳシステム。
【請求項７】
前記商品登録機は、前記登録処理を実行したときに、前記支払処理を実行する前記代金支払機を設定する許可設定部を有しており、
前記許可設定部は、前記客によって操作がされている前記代金支払機の選択を不可にする、請求項６記載のＰＯＳシステム。
【請求項８】
前記注文受付装置によって注文を受け付けた前記商品の支払処理がなされたことを店員に通知する端末装置を更に備えている、請求項１〜７の何れか一項記載のＰＯＳシステム。
【請求項９】
店舗において前記商品ごとに対応付けられて設置される電子棚札と、
前記商品に関する商品データを前記電子棚札に送信する制御装置と、を更に備え、
前記制御装置は、前記注文受付装置によって注文を受け付けた前記商品の支払処理がなされた旨を前記電子棚札に表示させる、請求項１〜８の何れか一項記載のＰＯＳシステム。
【請求項１０】
商品の登録処理及び前記登録処理の実行によって生成された代金データに基づいて代金の支払処理が可能なＰＯＳシステムに用いられる代金支払機であって、
ネットワークを介して商品の注文受付処理を実行する注文受付装置によって生成された代金データに基づいて代金の支払処理を実行すると共に、前記注文受付装置において注文を受け付けた商品が受け渡し可能になるまでの時間を出力する、代金支払機。
【発明の詳細な説明】
【技術分野】
【０００１】
本発明は、ＰＯＳ（Point  of  Sales）システム及びＰＯＳシステムに用いられる代金支払機に関する。
【背景技術】
【０００２】
商品の登録処理を実行する商品登録機と、登録処理の実行によって生成された代金データに基づいて代金の支払処理を実行する代金支払機と、が一体的に構成されたフルオート式のＰＯＳシステム（例えば、特許文献１参照）、及び商品の登録処理を実行する商品登録機と、登録処理の実行によって生成された代金データに基づいて代金の支払処理を実行する代金支払機と、がそれぞれ別々に設けられたセミオート式のＰＯＳシステムが知られている（例えば、特許文献２参照）。このようなＰＯＳシステムが配備されたスーパーマーケットが増えてきている。
【先行技術文献】
【特許文献】
【０００３】
【特許文献１】特開平１０−２４１０５０
【特許文献２】特開２０１６−２１８７５５号公報
【発明の概要】
【発明が解決しようとする課題】
【０００４】
ＥＣ（Electronic  Commerce）サイトによる商品の販売が急伸する中、スーパーマーケット等を経営する者は、ＥＣサイトにおいて店舗で取り扱う商品の注文受付を可能にする一方、ＥＣサイトにおいて商品を注文した客が店舗に来店するように誘導したいと考えている。そこで、ＥＣサイトにおいて注文した商品の支払い処理を、店舗等に配備された代金支払機で実行できるようにすることで、客を店舗に誘導することが考えられる。
【０００５】
しかしながら、上述したような仕組みとした場合、店舗側は、代金支払機において支払処理が完了した後に、支払処理が実行された商品の受け渡し準備を開始しなければならない。商品の受け渡し準備には時間を要するので、客に無駄な時間を過ごさせることになり利便性に劣る。
【０００６】
そこで、本発明は、ネットワークを介して商品を注文した客の店舗への誘導を可能にすると共に、客が代金支払機において商品の支払処理を終えてから商品を受け取るまでの利便性を向上させることができる、ＰＯＳシステム及び代金支払機を提供すること目的とする。
【課題を解決するための手段】
【０００７】
本発明に係るＰＯＳシステムは、ネットワークを介して商品の注文受付処理を実行する注文受付装置と、商品の登録処理を実行する商品登録機と、注文受付処理及び登録処理の実行によって生成された代金データに基づいて代金の支払処理を実行する代金支払機と、注文受付装置において注文を受け付けた商品の支払処理が代金支払機において実行されると、商品の受け渡しが可能になるまでの時間を出力する時間出力部と、を備える。
【０００８】
この構成のＰＯＳシステムでは、ネットワークを介して注文を受け付けた商品の支払処理が、代金支払機においてできるようになるので、代金支払機が配備された店舗に客を誘導することが可能になる。更に、この構成のＰＯＳシステムでは、在庫情報等に基づいて商品を受け取るまでの時間が出力されるので、客に商品の受け渡しが可能になる時間を正確に提供することが可能になる。これにより、当該時間を確認した客は、商品の受け渡しまでの時間を他の場所で過ごしたりできるようになるので、客が代金支払機において商品の支払処理を終えてから商品を受け取るまでの利便性を向上させることができる。
【０００９】
本発明に係るＰＯＳシステムは、商品登録機が配備された店舗に勤務する従業員の勤務情報及び注文受付装置において注文を受け付けた商品の在庫情報の少なくとも一方を記憶する記憶部を更に備え、時間出力部は、勤務情報及び在庫情報の少なくとも一方に基づいて、注文受付装置において注文を受け付けた商品の準備にかかる時間を出力してもよい。この構成のＰＯＳシステムでは、商品の受け渡しの準備をすることができる従業員の人数及び商品の在庫情報を考慮できるので、商品の受け渡しが可能になるまでの時間をより正確に算出できる。
【００１０】
本発明に係るＰＯＳシステムでは、時間出力部は、商品の代金が支払われた旨と、商品の準備にかかる時間とが印字された引換券を出力してもよい。この構成のＰＯＳシステムでは、客に商品の受け渡しが可能になるまでの時間を確実に提供することができる。また、客は、従業員に当該引換券を渡すだけで商品が受け取れるようになるので、利便性が向上する。
【００１１】
本発明に係るＰＯＳシステムでは、代金支払機は、商品の注文を受け付ける受付部を有しており、代金支払機は、受付部において受け付けた商品の支払処理を実行してもよい。この構成のＰＯＳシステムでは、商品の支払処理をする際に、店舗にある商品を追加注文することが可能になる。
【００１２】
本発明に係るＰＯＳシステムでは、代金支払機は、支払処理の操作をする操作部を表示する表示部を有しており、表示部には、操作部の周囲に、商品の販促情報が表示されてもよい。この構成のＰＯＳシステムでは、商品の支払処理をする際に、ついで買いを促進させることができる。
【００１３】
本発明に係るＰＯＳシステムでは、商品登録機は、店員によって操作される装置として構成され、代金支払機は、客によって操作される装置として構成されてもよい。この構成のＰＯＳシステムでは、セミオート式のＰＯＳシステムに適用することが可能になる。
【００１４】
本発明に係るＰＯＳシステムでは、商品登録機は、登録処理を実行したときに、支払処理を実行する代金支払機を設定する許可設定部を有しており、許可設定部は、客によって操作がされている代金支払機の選択を不可にしてもよい。この構成のＰＯＳシステムでは、実行中の商品の支払処理を妨げることを防止することができる。
【００１５】
本発明に係るＰＯＳシステムは、注文受付装置によって注文を受け付けた商品の支払処理がなされたことを店員に通知する端末装置を更に備えてもよい。この構成のＰＯＳシステムでは、代金支払機によって支払処理がなされ、受け渡しの準備をすべき商品を従業員に即座に知らせることができる。これにより、効果的に商品のピッキングがなされ、商品を受け渡すまでの時間を短縮することができる。
【００１６】
本発明に係るＰＯＳシステムは、店舗において前記商品ごとに対応付けられて設置される電子棚札と、商品に関する商品データを電子棚札に送信する制御装置と、を更に備え、制御装置は、注文受付装置によって注文を受け付けた商品の支払処理がなされた旨を電子棚札に表示させてもよい。この構成のＰＯＳシステムでは、代金支払機によって支払処理がなされ、受け渡しの準備をすべき商品を従業員に即座に知らせることができる。これにより、効果的に商品のピッキングがなされ、商品を受け渡すまでの時間を短縮することができる。
【００１７】
本発明に係る代金支払機は、商品の登録処理及び登録処理の実行によって生成された代金データに基づいて代金の支払処理が可能なＰＯＳシステムに用いられる代金支払機であって、ネットワークを介して商品の注文受付処理を実行する注文受付装置によって生成された代金データに基づいて代金の支払処理を実行すると共に、注文受付装置において注文を受け付けた商品が受け渡し可能になるまでの時間を出力する。
【００１８】
この構成の代金支払機では、ネットワークを介して注文を受け付けた商品の支払処理が、代金支払機においてできるようになるので、代金支払機が配備された店舗に客を誘導することが可能になる。更に、この構成のＰＯＳシステムでは、商品を受け取るまでの時間が出力されるので、客に商品の受け渡しが可能な時間を正確に提供することが可能になる。これにより、当該時間を確認した客は、商品の受け渡しまでの時間を他の場所で過ごしたりできるようになるので、客が代金支払機において商品の支払処理を終えてから商品を受け取るまでの利便性を向上させることができる。
【発明の効果】
【００１９】
本発明によれば、ネットワークを介して商品を注文した客の店舗への誘導を可能にすると共に、客が代金支払機において商品の支払処理を終えてから商品を受け取るまでの利便性を向上させることができる。
【図面の簡単な説明】
【００２０】
【図１】一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１の注文受付サーバの構成を示すブロック図である。
【図７】図１の電子棚札サーバの構成を示すブロック図である。
【図８】図１のＰＯＳシステムの動作例を示すシーケンス図である。
【図９】商品支払画面の一例を示す図である。
【図１０】（ａ）は、注文番号確認画面の一例を示す図であり、（ｂ）は、注文商品確認画面の一例を示す図である。
【図１１】代金支払機から出力される紙片の一例を示す図である。
【発明を実施するための形態】
【００２１】
以下、添付図面を参照して、本発明の好適な実施形態について詳細に説明する。なお、図面の説明において同一又は相当要素には同一符号を付し、重複する説明は省略する。
【００２２】
図１に示されるように、ＰＯＳシステム１は、ストアコントローラ１０と、複数の商品登録機２０と、複数の代金支払機３０と、注文受付サーバ（注文受付装置）５０と、電子棚札システム７０と、端末装置８０と、を備えている。
【００２３】
ストアコントローラ１０、各商品登録機２０及び各代金支払機３０は、有線又は無線のＬＡＮ（Local  Area  Network）２によって相互に接続されている。ＰＯＳシステム１は、スーパーマーケット等の店舗に構築されたセミオート式のＰＯＳシステムである。つまり、ＰＯＳシステム１において、各商品登録機２０は、店員によって操作され、商品の登録処理を実行し、各代金支払機３０は、客によって操作され、登録処理の実行によって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。
【００２４】
ストアコントローラ１０は、ＰＯＳシステム１を制御するコンピュータであり、商品マスタ等の種々の情報を管理する。ストアコントローラ１０は、各商品登録機２０、各代金支払機３０、注文受付サーバ５０及び電子棚札サーバ（制御装置）７１と通信可能であり、各商品登録機２０、各代金支払機３０、注文受付サーバ５０及び電子棚札サーバ７１に商品マスタを適宜送信する。商品マスタとは、各商品についての商品情報（商品の識別情報、並びに、商品名称及び販売価格に関する情報等）を格納したファイルである。商品マスタは、適宜更新される。
【００２５】
図２に示されるように、商品登録機２０は、ＣＰＵ（Central  Processing  Unit）２０１と、ＲＯＭ（Read  Only  Memory）２０２と、ＲＡＭ（Random  Access  Memory）２０３と、スキャナ２０４と、店員用表示部２０５と、客用表示部２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００２６】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００２７】
スキャナ２０４は、商品に付されているバーコード等を光学的に読み取る。店員用表示部２０５は、店員に対し、スキャナ２０４によって読み取られたバーコードに対応する商品名称及び販売価格等を表示する。客用表示部２０６は、客に対し、スキャナ２０４によって読み取られたバーコードに対応する商品名称及び販売価格等を表示する。なお、店員用表示部２０５及び客用表示部２０６は、タッチパネルを構成することで、操作部としても機能する。
【００２８】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を紙片に印刷して当該紙片を発行する。
【００２９】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（商品の登録処理の実行）。代金データには、客が購入しようとしている全ての商品についての単価及び数量、並びに、合計金額等に関する情報が含まれている。
【００３０】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。商品登録機２０では、客用表示部２０６及び印刷部２１０が報知部として機能する。具体的には、客用表示部２０６は、例えば、各代金支払機３０に付された識別番号のうち、代金データを取得した代金支払機３０の識別番号を表示する。印刷部２１０は、代金データを取得した代金支払機３０の識別番号、及び代金データの識別情報を示すバーコード等を紙片に印刷して、当該紙片（会計券）を発行する。
【００３１】
なお、スピーカ２０９が報知部として機能してもよい。その場合、スピーカ２０９は、例えば、各代金支払機３０に付された識別番号のうち、代金データを取得した代金支払機３０の識別番号を示す音声を出力する。商品登録機２０では、客用表示部２０６、スピーカ２０９及び印刷部２１０の少なくとも１つを報知部として機能させることができる。
【００３２】
図４に示されるように、代金支払機３０は、ＣＰＵ３０１と、ＲＯＭ３０２と、ＲＡＭ３０３と、スキャナ３０４と、表示部３０５と、操作部３０７と、通信部３０８と、スピーカ３０９と、印刷部３１０と、決済部３１１と、サインポール３１２と、人感知センサ３１３と、カメラ３１４と、を備えている。これらは、バス３１５によって相互に接続されている。なお、代金支払機３０の外観は、図５に示されるとおりである。
【００３３】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ及び操作履歴等を随時記憶する。
【００３４】
スキャナ３０４は、会計券に印刷されたバーコード等を光学的に読み取る。表示部３０５は、客に対し、客が代金の支払いを行うための操作手順等を表示する。なお、表示部３０５は、タッチパネルを構成することで、操作部としても機能する。
【００３５】
操作部３０７は、代金支払機３０を動作させるための各種の操作ボタン（訂正キー及びプリセットキー等）を有している。通信部３０８は、ＬＡＮ２を介して他の機器と通信を行う。スピーカ３０９は、代金支払機３０の操作音、及び各種の音声等を出力する。印刷部３１０は、客が代金の支払いを行った際に、客に対し、購入した商品の一覧、各商品の金額、合計金額、受領金額及び釣り金額等を紙片に印刷して当該紙片（レシート）を発行する。
【００３６】
決済部３１１は、紙幣投入兼排出口３１１ａ、硬貨投入口３１１ｂ、硬貨排出口３１１ｃ、クレジットカード投入兼排出口３１１ｄ及び電子マネーリーダ３１１ｅ、並びに、それらを制御する制御部（図示省略）を有している。紙幣投入兼排出口３１１ａ、硬貨投入口３１１ｂ及び硬貨排出口３１１ｃは、現金決済部として機能する。客は、紙幣投入兼排出口３１１ａ等の現金決済部を介した現金での代金の支払い、クレジットカードリーダを介したクレジットカードでの代金の支払い、及び電子マネーリーダを介した電子マネーでの代金の支払いの少なくとも一つを選択することができる。
【００３７】
サインポール３１２は、複数色の表示灯を点灯又は点滅させることで、客が代金の支払いを行うための操作の実施が可能であること、及び何らかの異常が発生していること等を報知する。人感知センサ３１３は、代金支払機３０前の所定領域内に存在する客等を検知する。カメラ３１４は、代金支払機３０前の所定領域内に存在する客等を撮像する。
【００３８】
代金支払機３０は、商品登録機２０による登録処理の実行によって生成された代金データに基づいて代金の支払処理を実行する。代金支払機３０は、受付部において受け付けた商品の支払処理を実行する。また、代金支払機３０のＣＰＵ３０１、ＲＯＭ３０２、ＲＡＭ３０３、表示部３０５及び操作部３０７は、商品の追加注文を受け付ける受付部としても機能する。
【００３９】
本実施形態の印刷部３１０は、上記の紙片に加え、図１１に示されるように、受付番号と、受渡可能時間と、受渡場所と、が印字された紙片（レシート）Ｒを印字発行する。
紙片Ｒは、ネットワークＮを介してスマートフォン９０等から注文した商品又は代金支払機３０において追加注文した商品の引換券である。印刷部３１０は、注文受付サーバ５０によって紙片Ｒの印字発行が制御される。紙片Ｒの詳細については、後段にて詳述する。
【００４０】
注文受付サーバ５０は、ネットワークＮを介して商品の注文受付処理を実行するサーバ装置である。図６に示されるように、注文受付サーバ５０は、ＣＰＵ５０１と、ＲＯＭ５０２と、ＲＡＭ５０３と、記憶部５０７と、通信部５０８と、を備えている。これらは、バス５１５によって相互に接続されている。
【００４１】
ＣＰＵ５０１、ＲＯＭ５０２及びＲＡＭ５０３は、ネットワークＮを介して商品の注文を受け付ける注文受付サイトを構築する。ＣＰＵ５０１は、ＲＯＭ５０２に記憶されているプログラムを読み出して実行し、ネットワークＮを介して注文可能な商品情報を配信したり、スマートフォン９０等の携帯端末又はパーソナルコンピュータ等（以後、単に「スマートフォン９０等」と略して説明する。）から商品の注文情報を受け付けたりする。記憶部５０７は、商品登録機２０及び代金支払機３０が配備された店舗に勤務する従業員の勤務情報及び注文受付サーバ５０において注文を受け付けた商品の在庫情報を記憶している。
【００４２】
通信部５０８は、ネットワークＮを介してスマートフォン９０等に上記商品情報を配信したり、スマートフォン９０等から上記注文情報を受信したりする。注文可能な商品の情報は、ストアコントローラ１０から提供される。ＲＡＭ５０３は、ネットワークＮを介してスマートフォン９０等から注文された商品及び注文番号等の情報を随時記憶する。
【００４３】
更に、本実施形態のＣＰＵ５０１、ＲＯＭ５０２及びＲＡＭ５０３は、代金支払機３０においてネットワークＮを介して注文を受け付けた商品又は代金支払機３０において追加注文された商品（以後、注文商品」と称する。）の代金支払処理が実行されたとき、注文商品の受け渡しが可能になるまでの時間を算出して、代金支払機３０の印刷部３１０に当該受渡可能時間を出力させる時間出力部として機能する。当該時間出力部は、記憶部５０７に記憶された勤務情報及び在庫情報の両方に基づいて、注文商品の受け渡しが可能になるまでの準備にかかる時間を算出する。
【００４４】
図１に示されるように、電子棚札システムは、主として、電子棚札サーバ７１と、複数のアクセスポイント（図示せず）と、複数の電子棚札７３とを含んでいる。電子棚札システム７０は、スーパーマーケットの店舗内に設置される。電子棚札サーバ７１は、アクセスポイントを介して電子棚札７３に接続されている。電子棚札７３は、店舗内に設置される商品棚に取り付けられる。電子棚札７３は、商品棚に陳列されている商品に関する情報を格納している。電子棚札７３は、店舗内で販売されている商品に関する情報を客に提示するための機器である。電子棚札７３は、内蔵のバッテリーから供給される電力で動作する。
【００４５】
電子棚札サーバ７１は、店舗内の管理室等に設置されるサーバ装置である。電子棚札サーバ７１は、各アクセスポイントと有線接続されている。電子棚札サーバ７１は、アクセスポイントを介して、電子棚札７３と通信可能に接続されている。
【００４６】
図７に示されるように、電子棚札サーバ７１は、ＣＰＵ７０１と、ＲＯＭ７０２と、ＲＡＭ７０３と、通信部７０８と、を備えている。これらは、バス７１５によって相互に接続されている。ＣＰＵ７０１、ＲＯＭ７０２及びＲＡＭ７０３は、電子棚札７３に商品棚に陳列されている商品に関する情報を表示させる。本実施形態のＣＰＵ７０１、ＲＯＭ７０２及びＲＡＭ７０３は、注文商品の支払処理がなされた旨を電子棚札７３に表示させる。通信部７０８は、ＬＡＮ２を介してストアコントローラ１０、商品登録機２０、代金支払機３０、及び注文受付サーバ５０と通信を行う。
【００４７】
上述したＰＯＳシステム１の動作例について、図８を参照して説明する。ここでは、客が、店舗等で買い物した商品の支払いをすると同時に、ネットワークＮを介してスマートフォン９０等から注文した商品の支払いを済ませ、当該商品を受け取るまでの流れに沿って説明する。
【００４８】
複数の商品登録機２０のうち１台の商品登録機２０に着目して説明する。その前提として、商品登録機２０は、複数の代金支払機３０に対して代金データの取得を許可しているものとする。商品登録機２０では、タッチパネルを構成する店員用表示部２０５、又は操作部２０７が、複数の代金支払機３０のうち一部（少なくとも１台）の代金支払機３０に対して代金データの取得を許可する許可設定部として機能する。
【００４９】
まず、客が購入しようとしている商品について、店員が商品登録機２０の操作（客が購入しようとしている商品に付されたバーコードをスキャナ２０４に読み取らせる操作等）を開始させると、商品登録機２０は、商品の登録処理を開始させる（ステップＳ０１）。当該登録処理が終了すると（ステップＳ０２）、商品登録機２０は、当該登録処理の実行によって生成された代金データに、代金データの取得を許可した代金支払機３０を示す情報を付加して、当該代金データをストアコントローラ１０に送信する（ステップＳ０３）。ストアコントローラ１０は、当該代金データを受信して（ステップＳ０４）、保存する。
【００５０】
このとき、代金支払機３０においては、他の客による代金の支払いが行われていないため、代金支払機３０は、ストアコントローラ１０に対して代金データの取得処理を実行している。具体的には、代金支払機３０は、自機を示す情報が付加された代金データがストアコントローラ１０に保存されているか否かを監視し、当該代金データが保存されていた場合には、ストアコントローラ１０に当該代金データの送信を要求する。
【００５１】
そして、ストアコントローラ１０は、代金支払機３０による要求に従って、商品登録機２０において生成された代金データを代金支払機３０に送信する（ステップＳ０５）。代金支払機３０は、ストアコントローラ１０から送信された代金データを受信すると（ステップＳ０６）、当該代金データの取得を完了した旨を示す情報を商品登録機２０に送信する。
【００５２】
商品登録機２０は、代金支払機３０から受信した情報に基づいて、代金データを取得した代金支払機３０（すなわち、客が代金の支払いを行うべき代金支払機３０）が代金支払機３０であることを客に報知する。代金支払機３０は、代金データを取得した代金支払機３０（すなわち、客が代金の支払いを行うべき代金支払機３０）が自機であることを客に報知する。
【００５３】
客は、商品登録機２０による報知、及び代金データを取得した代金支払機３０による報知に従って、代金データを取得した代金支払機３０に向かう。そして、代金支払機３０前の所定領域内に入った客が人感知センサ３１３によって検知されると、客が代金の支払いを行うための操作手順の表示が表示部３０５によって開始される（ステップＳ０７）。このとき、操作手順を示す音声の出力もスピーカ３０９によって開始される。なお、表示部３０５の画面が客によってタッチされたとき、操作部３０７の何らかのボタンが客によって押下されたとき、及び代金支払機３０前の所定領域内に入った客がカメラ３１４によって撮像されたときのいずれかのときに、操作手順の表示が表示部３０５によって開始されると共に、操作手順を示す音声の出力がスピーカ３０９によって開始されてもよい。
【００５４】
代金支払機３０にて商品の支払処理が開始されると、表示部３０５には、図９に示されるような商品支払画面ＳＣ１が表示される。商品支払画面ＳＣ１には、商品の代金に関する情報を表示する表示欄３０５ａと、店員を呼び出すための「店員呼出ボタン」３０５ｂと、画面を英語表記に変換する「English」ボタン３０５ｃと、代金の明細を表示する画面に切り替える「明細」ボタン３０５ｄと、商品の追加注文を行う「商品追加」ボタン３０５ｅと、注文商品の支払を行う「注文支払」ボタン３０５ｆと、販促情報を表示する画面に切り替える「本日のおすすめ」ボタン３０５ｇ及び「タイムセール」ボタン３０５ｈと、レジ袋を購入する「レジ袋購入」ボタン３０５ｉと、が表示される。
【００５５】
ここで、客は、注文商品の代金の支払いを行うことができる。客によって「注文支払」ボタン３０５ｆがタッチされると、表示部３０５は、図１０（ａ）に示されるような、表示部３０５は、注文番号確認画面ＳＣ２に切り替えられる。注文番号確認画面ＳＣ２には、注文番号を入力するテンキー３０５ｋと、注文番号を表示する表示部３０５ｊと、「ＯＫ」ボタン３０５ｍと、が表示される。客によって、注文番号が入力され、「ＯＫ」ボタン３０５ｍがタッチされると、当該注文番号が注文受付サーバ５０に送信される（ステップＳ０８）。
【００５６】
注文受付サーバ５０は、送信されてくる注文番号に関する情報を受信する（ステップＳ０９）。注文受付サーバ５０は、送信されてくる注文番号に該当する番号が記憶部５０７に記憶されておれば、当該注文番号に対応する注文商品の注文受付処理の実行によって生成された代金データを代金支払機３０に送信する（ステップＳ１０）。代金データを受信した代金支払機３０の表示部３０５には、図１０（ａ）に示されるような、注文商品確認画面ＳＣ３が表示される（ステップＳ１１）。注文商品確認画面ＳＣ３には、注文商品と価格の一覧を表示する表示欄３０５ｎと、当該注文商品が正しい場合にタッチしてもらう「はい」ボタン３０５ｐと、当該注文商品が間違っている場合にタッチしてもらう「いいえ」ボタン３０５ｑと、が表示される。注文商品確認画面ＳＣ３を確認した客は、当該注文商品が正しい場合には、「はい」ボタン３０５ｐをタッチする。「はい」ボタン３０５ｐがタッチされると、表示部３０５には、図９に示される商品支払画面ＳＣ１が再度表示される。なお、図９では、注文商品に関する情報が反映されていない表示欄３０５ａが示されるが、実際の画面では注文商品に関する情報が反映される。
【００５７】
客は、表示部３０５による表示、及びスピーカ３０９による音声の出力に従って、操作部３０７、及びタッチパネルを構成する表示部３０５を介して代金支払機３０を操作し、代金の支払いを行う（ステップＳ１２）。具体的には、客が、商品登録機２０において発行された会計券に印刷されたバーコードをスキャナ３０４に読み取らせると、決済種別を選択するための選択画面が表示部３０５によって表示される。客は、表示部３０５において、現金、クレジットカード及び電子マネーのいずれかの決済種別、又は併用する複数の決済種別を選択し、決済部３１１において、選択した決済種別での支払いを行う。客によって代金の支払いが行われると、購入した商品の一覧等が印刷されたレシートが印刷部３１０によって発行される。
【００５８】
また、代金支払機３０において、代金の支払操作が開始されると、代金支払機３０は、その旨の情報を注文受付サーバ５０に送信する。注文受付サーバ５０は、代金支払機３０において注文商品の代金支払処理が実行されたとき、当該注文商品の受け渡しが可能になるまでの時間を算出する（ステップＳ１３）。本実施形態では、注文受付サーバ５０は、記憶部５０７に記憶された勤務情報及び在庫情報の両方に基づいて、注文商品の受け渡しが可能になるまでの準備にかかる時間を算出し、代金支払機３０の印刷部３１０に当該受渡可能時間を紙片Ｒとして出力させる（ステップＳ１４）。
【００５９】
本実施形態の印刷部３１０は、上記の紙片に加え、図１１に示されるように、受付番号と、受渡可能時間と、受渡場所と、が印字された紙片Ｒを印字発行する。紙片Ｒは、注文商品又は代金支払機３０において追加注文した商品の引換券である。これにより、代金支払機３０における代金支払処理が完了する（ステップＳ１５）。客は、当該紙片Ｒに記載された時間に、紙片Ｒに記載された受渡場所に行き、店員に紙片Ｒを渡す。これにより、ネットワークＮを介してスマートフォン９０等から注文した商品を受け取ることができる。
【００６０】
代金支払機３０において代金支払処理が完了すると、代金支払機３０は、注文商品に関する情報を電子棚札サーバ７１に送信する。電子棚札サーバ７１は、当該注文商品に関する情報を受信すると（ステップＳ５１）、代金支払機３０において、注文商品の支払処理がなされた旨を電子棚札７３に表示させる（ステップＳ５２）。すなわち、電子棚札サーバ７１は、支払処理がなされた注文商品に対応する電子棚札７３に、当該商品をピッキングする旨の情報を表示させる。ピッキングする旨の情報は、記号を表示したり、表示色を変えたりする等、客から見て区別がつかないサインであることが望ましい。
【００６１】
なお、上述したように、ネットワークＮを介してスマートフォン９０等から注文した商品の支払処理を代金支払機３０にて実行し、当該注文商品を受け取るためには、予めネットワークＮを介して商品を注文しておく必要がある。次に、商品の注文を受け付けるときＰＯＳシステム１の動作例について説明する。
【００６２】
客は、スマートフォン９０等からネットワークＮを介して、注文受付サーバ５０が配信するＥＣ（Electronic  Commerce）サイトにアクセスする（ステップＳ２１）。注文受付サーバ５０は、ネットワークＮを介して注文の受付を開始する（ステップＳ２２）。具体的には、注文受付サーバ５０は、スマートフォン９０等に注文受付画面（図示せず）を配信する（ステップＳ２３）。注文受付画面は、例えば、各店舗から提供することができる商品の内容、画像、及び価格等の情報と、各商品の購入個数を入力する欄と、を含んで構成される。スマートフォン９０等では、ネットワークＮを介してこのような注文受付画面を受信する（ステップＳ２４）。
【００６３】
客は、当該注文受付画面を介して注文を希望する商品及びその個数等を入力する。これにより、ネットワークＮを介した商品の注文が完了する（ステップＳ２５）。注文受付サーバ５０は、注文受付画面を介して注文された商品、及びその個数等を記憶部５０７に記憶すると共に、注文番号をスマートフォン９０等に通知する。これにより、注文受付サーバ５０は、ネットワークＮを介したスマートフォン９０等からの注文受付を完了する（ステップＳ２６）。
【００６４】
本実施形態のＰＯＳシステム１では、商品の支払処理を開始した（ステップＳ０７）後に、商品の追加注文をすることができる。次に、このような商品の追加注文処理におけるＰＯＳシステム１の動作例について説明する。
【００６５】
代金支払機３０にて商品の支払処理が開始されると、表示部３０５には、図９に示されるような商品支払画面ＳＣ１が表示される。商品支払画面ＳＣ１には、商品を追加注文するための商品追加画面（図示せず）に切り替わる「商品追加」ボタン３０５ｅが配置されている。客は、当該「商品追加」ボタン３０５ｅをタッチすることにより、店舗で取り扱いのある商品を追加注文することが可能になる。客によって「商品追加」ボタン３０５ｅがタッチされると、注文受付サーバ５０は、代金支払機３０の表示部３０５に商品追加画面を表示させる。商品追加画面は、例えば、店舗から提供することができる商品の内容、画像、及び価格等の情報と、各商品の購入個数を入力する欄と、を含んで構成される。客は、当該商品追加画面を介して追加注文を希望する商品の個数を入力する。これにより、商品の追加注文が完了する。そして、図９に示される商品支払画面ＳＣ１が再度表示される。なお、図９では、追加注文した商品に関する情報が反映されていない表示欄３０５ａが示されるが、実際の画面では、追加注文した商品に関する情報が反映される。
【００６６】
なお、商品支払画面ＳＣ１において、当該操作部３０７の周囲には、商品の販促情報が表示される。販促情報の具体例は、本日のおすすめを表示する画面に切り替える「本日のおすすめ」ボタン３０５ｇ及びタイムセールを表示する画面に切り替える「タイムセール」ボタン３０５ｈであり、当該ボタン３０５ｇ，３０５ｈが操作されると、詳細な情報が表示される画面に切り替わる。客は、このような販促情報に基づいて、追加注文を行うことができる。なお、客が追加注文を行うためのボタンとして、商品名又は商品画像等が表示されたボタンを当該操作部３０７の周囲に表示してもよい。このようなボタンでは、画面を切り替えなくても、追加注文を実行できる。
【００６７】
次に、本実施形態のＰＯＳシステム１における作用効果について説明する。本実施形態のＰＯＳシステム１では、ネットワークＮを介して注文を受け付けた商品の支払処理が、代金支払機３０においてできるようになるので、代金支払機３０が配備された店舗に客を誘導することが可能になる。更に、本実施形態のＰＯＳシステム１では、在庫情報等に基づいて商品を受け取るまでの時間が出力されるので、客に商品の受け渡しが可能な時間を正確に提供することが可能になる。これにより、当該時間を確認した客は、商品の受け渡しまでの時間を他の場所で過ごしたりできるようになるので、客が代金支払機３０において商品の支払処理を終えてから商品を受け取るまでの利便性を向上させることができる。
【００６８】
本実施形態のＰＯＳシステム１は、商品登録機２０が配備された店舗に勤務する従業員の勤務情報及び注文受付サーバ５０において注文を受け付けた商品の在庫情報の両方に基づいて、注文商品の準備にかかる時間を出力している。このため、商品の受け渡しの準備をすることができる従業員の人数及び商品の在庫情報を考慮できるようになり、商品の受け渡しができるまでの時間をより正確に算出できる。
【００６９】
本実施形態のＰＯＳシステム１では、注文受付サーバ５０は、商品の代金が支払われた旨と、商品の準備にかかる時間とが印字された引換券を、代金支払機３０に出力させるので、客に商品の受け渡しが可能になるまでの時間を確実に提供することができる。また、客は、従業員に当該引換券を渡すだけで商品が受け取れるようになるので、利便性が向上する。
【００７０】
本実施形態のＰＯＳシステム１では、代金支払機３０は、商品の支払処理をする際に、店舗にある商品を追加注文することができるので、より利便性が向上する。
【００７１】
本実施形態のＰＯＳシステム１では、代金支払機３０の表示部３０５に表示される商品支払画面ＳＣ１の周囲に、商品の販促情報が表示されるので、商品の支払処理をする際に、ついで買いを促進させることができる。
【００７２】
本実施形態のＰＯＳシステム１では、商品登録機２０は、店員によって操作される装置として構成され、代金支払機３０は、客によって操作される装置として構成されるので、セミオート式のＰＯＳシステムとして構成することができる。
【００７３】
本実施形態のＰＯＳシステム１では、商品登録機２０は、登録処理を実行したときに、支払処理を実行する代金支払機を設定する機能を有しており、客によって操作がされている代金支払機の選択を不可にするので、商品の支払処理がなされている端末の操作を妨げることを防止できる。
【００７４】
本実施形態のＰＯＳシステム１では、電子棚札システム７０を含んでおり、代金支払機３０によって支払処理がなされ、受け渡しの準備をすべき商品を、電子棚札７３を用いて従業員に即座に知らせることができる。これにより、効果的に商品のピッキングがなされ、商品の受け渡しまでの時間を短縮することができる。
【００７５】
本発明は、上記実施形態に限定されるものではない。上記実施形態の説明では、店舗内の商品を商品登録機２０で登録した後に、注文商品の支払処理を実行する例を挙げて説明したが、例えば、店舗内での買い物を省き、ネットワークＮを介してスマートフォン９０等から注文された商品の支払処理のみを行う場合にも用いることができる。このＰＯＳシステム１によれば、注文商品を店舗内で支払処理が可能になると共に、注文商品を店舗で受け取れるようになる。代金支払機３０では、現金の扱いが可能であるので、例えば、クレジットカードを持たない客をＥＣサイトを通じて、店舗に誘導することができる。
【００７６】
上記実施形態のＰＯＳシステム１では、注文商品の支払処理がなされたことを、電子棚札システム７０を用いて店員に通知する例を挙げて説明したが、これに代えて又は加えて、注文商品の支払処理がなされたことを店員に通知する端末装置８０を備えてもよい。この構成のＰＯＳシステム１では、図８に示されるように、代金支払機３０において代金支払処理が完了すると、代金支払機３０は、注文商品に関する情報を端末装置８０に送信する。端末装置８０は、当該注文商品に関する情報を受信すると（ステップＳ４１）、代金支払機３０において、注文商品の支払処理がなされた旨を端末装置８０の表示部に表示させる（ステップＳ５２）。これにより、代金支払機３０によって支払処理がなされ、受け渡しの準備をすべき商品を従業員に即座に知らせることができる。この結果、効果的に商品のピッキングがなされ、商品の受け渡しまでの時間を短縮することができる。
【００７７】
上記実施形態では、時間出力部が注文受付サーバ５０に設けられる例を挙げて説明したが、例えば、代金支払機３０に設けられてもよいし、商品登録機２０に設けられてもよい。
【００７８】
上記実施形態では、店舗ごとに注文受付サーバ５０が設けられる例を挙げて説明したが、複数の店舗を統括して管理する本社等に設けられてもよい。
【００７９】
例えば、上記実施形態では、商品登録機２０において生成された代金データをストアコントローラ１０が保存したが、当該代金データを商品登録機２０が保存するようにしてもよい。その場合、各代金支払機３０は、ストアコントローラ１０に対してではなく、商品登録機２０に対して代金データの取得処理を実行する。
【００８０】
また、上記実施形態では、ストアコントローラ１０がＰＯＳシステム１における上位装置として代金データを保存したが、代金データを保存する機能を有していれば、ＰＯＳシステム１における上位装置として他の装置を用いることができる。
【符号の説明】
【００８１】
１…ＰＯＳシステム、１０…ストアコントローラ、２０…商品登録機、３０…代金支払機、５０…注文受付サーバ（注文受付装置）、５０７…記憶部、７０…電子棚札システム、７１…電子棚札サーバ（制御装置）、７３…電子棚札、８０…端末装置、９０…スマートフォン、Ｒ…紙片、ＳＣ１…商品支払画面、ＳＣ２…注文番号確認画面、ＳＣ３…注文商品確認画面。
【図１】
2019133439.tif 000003
【図２】
2019133439.tif 000004
【図３】
2019133439.tif 000005
【図４】
2019133439.tif 000006
【図５】
2019133439.tif 000007
【図６】
2019133439.tif 000008
【図７】
2019133439.tif 000009
【図８】
2019133439.tif 000010
【図９】
2019133439.tif 000011
【図１０】
2019133439.tif 000012
【図１１】
2019133439.tif 000013